(57)【要約】【課題】インナーウェアに装着し、授乳時にユーザの胸部を被覆することができる授乳ケープを提供する。【解決手段】本考案の授乳ケープ１は、インナーウェアに装着し、少なくとも胸部を被覆する授乳ケープであって、台形状に形成された前身頃部１０１と、前記前身頃部１０１の上底に設けられた衿ぐり部１０３と、前記衿ぐり部１０３の両端に設けられた一対の調整ベルト１０５と、一方が前記衿ぐり部１０３に設けられ、他方が前記各調整ベルト１０５に設けられ、前記衿ぐり部１０３と前記各調整ベルト１０５を係合させる少なくとも一対の留め具（１２１、１２５）と、を備え、前記各調整ベルト１０５は、インナーウェアの一部に、巻回され前記衿ぐり部１０３に各留め具（１２１、１２５）で固定されることを特徴とする。【選択図】図１
0003202234.tif 000002
【実用新案登録請求の範囲】
【請求項１】
インナーウェアに装着し、少なくとも胸部を被覆する授乳ケープであって、
台形状に形成された前身頃部と、
前記前身頃部の上底に設けられた衿ぐり部と、
前記衿ぐり部の両端に設けられた一対の調整ベルトと、
一方が前記衿ぐり部に設けられ、他方が前記各調整ベルトに設けられ、前記衿ぐり部と前記各調整ベルトを係合させる少なくとも一対の留め具と、を備え、
前記各調整ベルトは、インナーウェアの一部に、巻回され前記衿ぐり部に各留め具で固定されることを特徴とする授乳ケープ。
【請求項２】
前記衿ぐり部に、ギャザーが形成されていることを特徴とする請求項１記載の授乳ケープ。
【考案の詳細な説明】
【技術分野】
【０００１】
本考案は、インナーウェアに装着し、授乳時にユーザの胸部を被覆する授乳ケープに関する。
【背景技術】
【０００２】
従来から、授乳時に胸元を隠すため、胸元をスカーフ等の布で覆うなどして、授乳を行なっていた。しかし、授乳中に布がずり落ちてしまうなどの問題があった。そこで、このような問題を解決しつつ、周りの人目を気にせず授乳を行なう衣服に関する提案がなされている。
【先行技術文献】
【特許文献】
【０００３】
【特許文献１】実用新案登録第３１１５７７５号公報
【考案の概要】
【考案が解決しようとする課題】
【０００４】
しかしながら、上記の授乳ケープは、授乳者の首から下を覆う大きなサイズの授乳ケープであるため、授乳時に胸元を隠すことはできるが、外出する際には、持ち歩く必要があり、荷物となってしまう。
【０００５】
本考案は、このような事情に鑑みてなされたものであり、インナーウェアに装着し、授乳時にユーザの胸部を被覆することができる授乳ケープを提供することを目的とする。
【課題を解決するための手段】
【０００６】
（１）上記の目的を達成するために、本考案は、以下のような手段を講じた。すなわち、本考案の授乳ケープは、インナーウェアに装着し、少なくとも胸部を被覆する授乳ケープであって、台形状に形成された前身頃部と、前記前身頃部の上底に設けられた衿ぐり部と、前記衿ぐり部の両端に設けられた一対の調整ベルトと、一方が前記衿ぐり部に設けられ、他方が前記各調整ベルトに設けられ、前記衿ぐり部と前記各調整ベルトを係合させる少なくとも一対の留め具と、を備え、前記各調整ベルトは、インナーウェアの一部に、巻回され前記衿ぐり部に各留め具で固定されることを特徴とする。
【０００７】
このように、台形状に形成された前身頃部と、前身頃部の上底に設けられた衿ぐり部と、衿ぐり部の両端に設けられた一対の調整ベルトと、一方が衿ぐり部に設けられ、他方が各調整ベルトに設けられ、衿ぐり部と各調整ベルトを係合させる少なくとも一対の留め具と、を備え、各調整ベルトは、インナーウェアの一部に、巻回され衿ぐり部に各留め具で固定するので、ユーザ自身のインナーウェアに簡単に装着することができる。また、留め具を複数設けた場合に、ユーザ自身で自分のサイズに合うよう調整ベルトの長さを調整することができる。その結果、授乳時には、授乳ケープの裾をアウターウェアの外に出し、授乳時のユーザの胸元を被覆する授乳ケープとして用いることができる。さらに、授乳時以外は、アウターウェアの中に授乳ケープを収めて、インナーウェアとして用いることができる。
【０００８】
（２）また、本考案の授乳ケープは、前記衿ぐり部に、ギャザーが形成されていることを特徴とする。
【０００９】
このように、衿ぐり部に、ギャザーが形成されているので、授乳ケープをインナーウェアに装着した際に、ユーザの胸元にフィットし、胸部を外部から隠すことができる。
【考案の効果】
【００１０】
本考案によれば、インナーウェアに装着し、授乳時にユーザの胸部を被覆することができる授乳ケープを提供することができる。
【図面の簡単な説明】
【００１１】
【図１】本実施形態に係る授乳ケープの構成を示す図である。
【図２】本実施形態に係る授乳ケープの装着方法の一例を示す図である。
【図３】本実施形態に係る授乳ケープの使用方法を示す図である。
【図４】本実施形態に係る授乳ケープを授乳時に用いた様子を示す図である。
【図５】本実施形態に係る授乳ケープを授乳時以外に用いた様子を示す図である。
【考案を実施するための形態】
【００１２】
本考案者は、授乳ケープに調整ベルトと留め具を設け、少なくとも胸部を覆うサイズの形状を有することによって、ユーザ自身のインナーウェアに着脱可能で使いやすく、コンパクトな設計の授乳ケープを提供できることを見出し、本考案をするに至った。
【００１３】
すなわち、本考案の授乳ケープは、インナーウェアに装着し、少なくとも胸部を被覆する授乳ケープであって、台形状に形成された前身頃部と、前記前身頃部の上底に設けられた衿ぐり部と、前記衿ぐり部の両端に設けられた一対の調整ベルトと、一方が前記衿ぐり部に設けられ、他方が前記各調整ベルトに設けられ、前記衿ぐり部と前記各調整ベルトを係合させる少なくとも一対の留め具と、を備え、前記各調整ベルトは、インナーウェアの一部に、巻回され前記衿ぐり部に各留め具で固定されることを特徴とする。
【００１４】
これにより、本考案者は、授乳ケープをユーザ自身のインナーウェアに簡単に装着することを可能とした。また、留め具を複数設けた場合に、ユーザ自身で自分のサイズに合うよう調整ベルトの長さを調整することを可能とした。その結果、授乳時には、授乳ケープの裾をアウターウェアの外に出し、授乳時のユーザの胸元を被覆する授乳ケープとして用いることを可能とし、さらに、授乳時以外は、アウターウェアの中に授乳ケープを収めて、インナーウェアとして用いることが可能となる。
【００１５】
図１は、本実施形態に係る授乳ケープ１の構成を示す図である。授乳ケープ１は、台形状に形成された前身頃部１０１、前身頃部１０１の上底に設けられた衿ぐり部１０３、および衿ぐり部１０３の両端に一対の調整ベルト１０５を備えている。また、衿ぐり部上および調整ベルト上には、衿ぐり部と各調整ベルトを係合させる少なくとも一対の留め具（１２１、１２５）を備えている。
【００１６】
前身頃部１０１は、不透過でかつ柔軟性と伸縮性を有する布で形成されている。前身頃部の端部１０７は、パイピングによって、捲れないように縫製されている。衿ぐり部１０３は、ギャザー１３１を形成するように縫製され、その縫製箇所を覆うようにレースが縫われている。このように、衿ぐり部１０３にギャザー１３１を設けることにより、伸縮性を有し、ユーザの胸元にフィットする構造となっている。
【００１７】
留め具（１２１、１２５）は、凸型（オス）１２５と凹型（メス）１２１とから成るスナップボタンを用いている。衿ぐり部１０３上には、凸型（オス）１２５が、調整ベルト１０５に掛からないように設けられている。一方、調整ベルト１０５上には、凹型（メス）１２１が、衿ぐり部１０３に掛からないように設けられている。スナップボタンの凸型（オス）１２５および凹型（メス）１２１の設置位置は、衿ぐり部１０３と調整ベルト１０５が逆でも良く、衿ぐり部１０３と各調整ベルト１０５を係合させることができるよう一対の留め具（１２１、１２５）として、設けられていれば良い。また、留め具（１２１、１２５）は、スナップボタンでも良いし、ホックやマジックテープ（登録商標）でも良い。そして、前身頃１０１の裏側には、ネームタグが設けられていても良い。
【００１８】
授乳ケープ１の仕上がり寸法は、前身頃部１０１の前中心丈（上り寸）は３５．００（±０．７）ｃｍ、前身頃部１０１の前中心巾（上り寸）は５５．６５（±０．８）ｃｍ、衿ぐり部１０３（上り寸）は２４．００（±０．６）ｃｍ、各調整ベルト１０５の長さ（上り寸）は１０．５０（±０．５）ｃｍ、調整ベルト１０５巾（上り寸）は１．５０（±０．２）ｃｍがより好ましいが、少なくともユーザの胸部を覆う寸法であれば、これに限らない。
【００１９】
図２は、授乳ケープ１の装着方法の一例を示す図である。図２に示すように、授乳ケープ１は、例えば、ブラジャーのストラップ２０１に、授乳ケープ１の調整ベルト１０５を巻き付け、調整ベルト１０５上のスナップボタン（凹型（メス）（１２１））と衿ぐり部１０３上のスナップボタン（凸型（オス）（１２５））を用いて留めることができる。本実施形態では、調整ベルト１０５上のスナップボタン（凹型（メス）（１２１））および衿ぐり部１０３上のスナップボタン（凸型（オス）（１２５））がそれぞれ２つずつ設けられているので、留め方の組み合わせは４通りあり、ユーザ自身で自分のサイズに合うよう調整ベルト１０５の長さを調整することができる。
【００２０】
以上説明したように、本考案の授乳ケープは調整ベルトと留め具を有しているため、着脱可能な使いやすい設計となっている。そのため、ユーザが持っている衣類に取り付けて使用することができる。また、衿ぐり部は、パイピングやレースなどが施されているため、見た目も美しく、胸元の開いた衣服のインナーウェアとして身に着けることもできる。さらに、本考案の授乳ケープは、コンパクトな設計となっているため、バックなどに入れて持ち歩いてもかさばらない。
【００２１】
次に、本考案の授乳ケープの使用方法について、説明する。図３は、授乳ケープ１の使用方法を示す図である。図３に示すように、授乳ケープ１をブラジャー２等のストラップ２０１に装着して使用する。また、授乳ケープを装着した後に、アウターウェアとして胸元の開いた洋服５を着ることにより、授乳ケープをインナーウェアとして用いることができる。授乳ケープ１をブラジャー２等のストラップ２０１に装着して使用できるので、授乳時に胸元を覆うための衣類やスカーフなどを持ち歩く必要がなく、外出時の荷物も少なくすることができる。そして、授乳ケープは、サイズもコンパクトに設計されているため、かさばることがなく、持ち歩いた場合でも便利である。
【００２２】
図４は、授乳ケープ１を授乳時に用いた様子を示す図である。このように、授乳時には、授乳ケープ１の裾をアウターウェアの外に出し、授乳時のユーザの胸元を被覆する授乳ケープとして用いることができる。
【００２３】
図５は、授乳ケープ１を授乳時以外に用いた様子を示す図である。このように、授乳時以外は、アウターウェアの中に授乳ケープ１を収めて、インナーウェアとして用いることができる。
【００２４】
本考案の授乳ケープは、スナップボタンではなく、ピンチのような挟む構造を有するものを調整ベルトの端に有していても良い。このような構造をとることにより、授乳時にはアウターウェアの外側に胸元を覆うように簡単に素早く装着することができ、授乳ケープとして用いることができる。また、本考案の授乳ケープは、調整ベルトを長めに作製して、ユーザの首に引っかけて使用することも可能である。
【００２５】
以上説明したように、本実施形態によれば、授乳ケープをユーザ自身のインナーウェアに簡単に装着することを可能となる。また、留め具を複数設けた場合に、ユーザ自身で自分のサイズに合うよう調整ベルトの長さを調整することを可能となる。その結果、授乳時には、授乳ケープの裾をアウターウェアの外に出し、授乳時のユーザの胸元を被覆する授乳ケープとして用いることを可能とし、さらに、授乳時以外は、アウターウェアの中に授乳ケープを収めて、インナーウェアとして用いることを可能となる。
【符号の説明】
【００２６】
１  授乳ケープ
２  ブラジャー
５  胸元の開いた洋服
１０１  前身頃部
１０３  衿ぐり部
１０５  調整ベルト
１０７  前身頃の端部
１２１  留め具、凹部、メス
１２５  留め具、凸部、オス
２０１  ブラジャーのストラップ
３０１  人体の首
３０３  人体の肩
【図１】
0003202234.tif 000003
【図２】
0003202234.tif 000004
【図３】
0003202234.tif 000005
【図４】
0003202234.tif 000006
【図５】
0003202234.tif 000007